(57)【要約】      （修正有）【課題】読書中に本のページが勝手に捲れることなく、手放しで読書が可能な読書支援器を提供する。【解決手段】本の両表紙を最大に開いてクリップし、かつページ部分の両端はバネでバイアスされている捲れ止めゴムに差込む。現ページを読み終えると手で１枚を捲り、左右何れかの捲れ止めゴムに挟み込み、勝手なページ捲れを防止する。また、本のサイズ対応機能を有し、さらに三脚により机上で本を傾倒させ、手放しで読書又は参照ができる。【選択図】図１
2007112101.tif 000002
【特許請求の範囲】
【請求項１】
読書において、本の両表紙を個々にバネつきのクリップで挟み、かつ本を左右に最大に開き、さらに残された表紙以外の見開きページの左右両端を、スプリングでバイアスされているページの捲れ止めゴムに挟み込み、本を読書状態に開いて保持し、読書を支援し、現ページを読み終えると１枚を指で捲り、反対側の捲れ止めゴムに挟み込む手段により、改ページができ、読書や参照が可能な手法と構造。
【請求項２】
［請求項１］において、本のサイズに対応させる伸縮自在な読書支援器の手法と構造。
【請求項３】
［請求項１］において、鞄に入れて持ち運びが可能で、場所を選ばずに読書の支援が可能な小型で軽量、かつ嵩張らない携帯可能な構造。
【請求項４】
［請求項１］において、読書中にページ捲りが近付くと、片手の指で捲り始めておき、読み終わると同時にワンタッチで、反対側の捲れ止め爪に差し込みが可能な手段により、次ページに目をやることが可能な手法と構造。
【請求項５】
［請求項１］において、本の背表紙部ガイドに読書中の本の背表紙を落とし込む手段により、読書開始と終了近辺では、本の左右ページ数が極端にアンバランスとなり、背表紙の寝返り現象による本のセンターずれの発生に対応する手法と構造。
【請求項６】
［請求項１］において、手で本を支えて読書をするばかりでなく、机上で本を読みやすい角度に傾倒が可能な三脚を開脚させて、手放しの読書や参照が可能な構造。
【発明の詳細な説明】
【技術分野】
【０００１】  本発明は、製本状態における紙の癖により、読書中および本の参照作業において、本のページが勝手に捲れる現象によく出会うもので、そのために勝手に捲れない様に紙面をいつも指で押さえながら読書及び参照作業をしており、読書の興味を削がれ、また参照作業の能率低下を招いているので、本のページを左右に開いた状態に保持し、かつワンタッチで改ページが可能な方法および構造を提供する。
【背景技術】
【０００２】  畳の間や洋間の椅子とか、列車、航空機などの座席における読書および本の参照作業において、ページが勝手に捲れない様に、常時、本のページ紙面を指で押さえていなければならないにも拘わらず、該問題を解決するものが見当たらない。【０００３】  ［特許文献１］の読書行為支援器具は、自立式の読書スタンドに楽譜の譜面台様の位置決め機能を有し、見開いた本を書籍搭載板側からの止め部材により、ページが勝手に捲れることを防ぐ手法のものがある。【０００４】  ［特許文献２］では、マグネットを利用して、本の見開き状態で左右のページにロックをかけ、マグネットを外してページ捲り作業を行うことが可能なブックスタンドがある。【０００５】
【特許文献１】  特許公開番号：特開平９−１８７３２３
【特許文献２】  特許公開番号：特開平２００５−１３７８５６
【発明の開示】
【発明が解決しようとする課題】
【０００６】  読書及び本の参照作業中に本のページが勝手に捲れることがあるが、これを勝手に捲れないようにする。
【課題を解決するための手段】
【０００７】  本のページを左右に開いて表紙１１０と裏表紙１２０夫々のエッジをクリップ２２１、２２２で挟み、左右に張った状態に保持し、さらにクリップ２１０に併設されている左右ページの戻り止めゴム２１１、２１２に、本の見開きのページ１３０を差込み、読書中に本から手を放しても、ページが左右へ見開き状態を保持する手法と構造の提供。【０００８】  読書で現ページを読み終えると、上記の戻り止めゴム２１１から指で一枚を捲り、反対側の戻り止めゴム２１２に挟むと、後は新しく展開した２ページを読み終えるまでは、ページの捲れに対して手放しでいられる。また、パソコンや学習などに於ける参照作業などにおいてもキーボードやマウスの操作に両手の使用が可能とする。【０００９】  小型軽量形で、ハンドバッグやカバンに潜ませて屋外の公園、列車、航空機、ホテルは勿論、家庭の和室や洋間の椅子などのあらゆる場所へ容易に持ち運びが可能な構造の提供。【００１０】  本のサイズ対応調節機能を有し、また本を手で支持しての読書も、三脚２４０を開いて机上に本を傾倒させて置き、手放しでの読書を可能にする機能も合わせ持つ構造。
【発明の効果】
【００１１】  本を支持する以外は、読書中に両手を自由に使用出来る。また三脚スタンドを開き、机上に本を立てるとハンズフリーで読書が出来、また参照が楽に出来る。【００１２】  ページが勝手に捲れて字が隠れて読み辛く成らなず、クリップによる字の遮蔽はない。【００１３】  指に力を入れてページの捲れを押さえ込んでおく必要がないので、肩がこらない。【００１４】  ページの捲れを気にしなくて良いので、読書の内容を把握中に興味をそがれることがなく、また参照作業中などにおいても、熟慮中にページ捲り作業の煩わしさが、熟慮の中断を余儀なくし、まとまりかかっている名案も台無しにしかねない状態を防止できる。【００１５】  本を参照しながらパソコン操作を行うケースでは、ブックスタンドの三脚２４０を開いて机上に本を斜めに立てて該支援機を利用すると、両手がフリーとなるのでキーボード、マウス、筆記が容易になり、ワンタッチ改ページが可能であるから気分的にもさっぱりとし、能率も上がる。
【発明を実施するための最良の形態】
【００１６】この発明の実施形態を［図１］、［図２］、［図３］、［図４］および［図５］に基づいて説明をする。
［図１］、［図２］において、本１００は、見開き状態の本の背中を左右に横断させている機器２３０の左右端の表紙挟みクリップ２２１と、裏表紙挟みクリップ２２２で挟み込んで左右に伸ばした状態で固定される。上記の左右クリップ端の戻り止めゴム２１０に、左右へ二分されている表紙及び裏表紙以外のページ１３０の左右端を夫々の戻り止めゴム２１１，２１２に挟み込み、滑り止め効果を有し、かつバネ材により適度にバイアスされている上記のゴム２１０は、ページが勝手に捲れることを防いでいる。【００１７】  さらにページが読書中に捲れることなく、両手もフリーのままで該ページを読み終わると、左右何れかの手の指でページをゴム２１１（２１２）から１枚を捲り、反対側のゴム２１２（２１１）に差込むと、ゴム２１０に掛けられているバイアスと滑り止め加工の効果により、簡単に捲れ、反対側のゴムに差込み、ワンタッチで保持させることができる。【００１８】  機器２３０は、本のサイズ対応が可能な構造になっており、スライド部ロック機構２３４を引き、サイズ調節器鞘部２３１の中を本巾調節機スライド部２３２をスライドさせて、本のサイズに合わせた後に、スライド部ロック機構２３４を離すとスライドロックがロックされ、以後は同サイズの本を読む間中は、前記の調節状態でよい。【００１９】  背表紙ガイド２３５は、背表紙部分を落とし込み、本全体を安定させ、かつ左右何れかの残存頁数が僅少に成ると厚く成っている側は、多数の紙面が曲げられているのでバネ性が強力になり、背表紙を反転させる力が働くので該ガイドは、背表紙のコーナの反転を妨害してページの戻りを阻止する。【００２０】  手で本を読むには，畳んでおいた三脚部２４０を開いて机上にスタンドとして立てて、本を傾倒させてセットし、完全に両手ともにハンズフリー状態で読書及び参照が可能な手法と構造である。
読書支援器は、一般の読書家や研究者などが読書をしたり、書物を参照するに当たって、読みたいページを見開いた状態で、かつ手放しで保持できることを目的としている。【００２１】  また、改ページにあたり、何らかの部品を操作することなく、即ワンタッチで改ページの実施を可能にすることを目的としている。【００２２】  本読書支援器は、書籍と共に持ち運びが可能で、老若男女や職業、性別を問わず万人が場所を選ばずに利用できる方法と構造である。
【図面の簡単な説明】
【００２３】
【図１】は、本発明の本を含む実施形態を示す斜視図である。
【図２】は、スタンド用の三脚が折りたたまれている状態の説明三面図である。
【図３】は、スタンド用の三脚が、開いた状態の三面図である。
【図４】は、表紙裏表紙を挟み込み部と、ページの勝手な捲れ防止部の断面図である。
【図５】は、各種ある本巾に対応させる調節手法と構造を示す三面図である。
【符号の説明】
【００２４】１００・・・・・本
１１０・・・・・表紙
１２０・・・・・裏表紙
１３０・・・・・本のページ部分
２００・・・・・読書支援器
２１０・・・・・ページ戻り止めゴム
２１１・・・・・左ページ戻り止めゴム
２１２・・・・・右ページ戻り止めゴム
２２０・・・・・クリップ
２２１・・・・・表紙挟みクリップ
２２２・・・・・裏表紙挟みクリップ
２２３・・・・・表紙挟みクリップのバネ
２２４・・・・・表紙セットハンドル
２３０・・・・・機器
２３１・・・・・本巾調節器鞘部
２３２・・・・・左本巾調節器スライド部
２３３・・・・・右本巾調節器スライド部
２３４・・・・・スライド部ロック機構
２３５・・・・・背表紙部ガイド
２３６・・・・・戻り止めバイアスバネ
２３７・・・・・スペーサ
２３８・・・・・本巾調節範囲
２４０・・・・・・スタンドアッセンブリ
２４１・・・・・中央脚
２４２・・・・・左脚
２４３・・・・・右脚
２４４・・・・・左脚回転中心ネジ
２４５・・・・・右脚回転中心ネジ
２４６・・・・・中央脚回転中心ネジ
２４７・・・・・摩擦ゴム材
【図１】
2007112101.tif 000003
【図２】
2007112101.tif 000004
【図３】
2007112101.tif 000005
【図４】
2007112101.tif 000006
【図５】
2007112101.tif 000007